(57)【特許請求の範囲】
【請求項１】
画素毎に入射光の強度に応じた電荷を発生する複数のフォトダイオードと、
前記フォトダイオードにより発生された電荷を読み出す読み出しトランジスタと、
前記読み出しトランジスタがオンにされない場合、前記読み出しトランジスタに負電圧を供給する第１の負電圧供給部と、
前記読み出しトランジスタがオンにされない場合、前記読み出しトランジスタに負電圧を供給する第２の負電圧供給部とを含み、
前記第１の負電圧供給部と、前記第２の負電圧供給部とが、切り替えられて前記負電圧が供給される
撮像素子。
【請求項２】
前記フォトダイオードの露光を開始するとき、およびリセットするとき、前記第１の負電圧供給部により、それ以外のとき、前記第２の負電圧供給部より、それぞれ切り替えられて前記負電圧が供給される
請求項１に記載の撮像素子。
【請求項３】
パルス信号を発生するパルス発生部をさらに含み、
前記パルス発生部により発生されるパルスにより、前記フォトダイオードの露光を開始するとき、およびリセットするとき、前記第１の負電圧供給部により、それ以外のとき、前記第２の負電圧供給部より、それぞれ切り替えられて前記負電圧が供給される
請求項２に記載の撮像素子。
【請求項４】
前記第１の負電圧供給部、および第２の負電圧供給部は、それぞれ第１の負電圧容量、および第２の負電圧容量である
請求項１に記載の撮像素子。
【請求項５】
前記第１の負電圧容量、および第２の負電圧容量は、チャージポンプ回路により充電される
請求項４に記載の撮像素子。
【請求項６】
オンにされていない前記読み出しトランジスタのうち、読み出し行のトランジスタとフローティングディフュージョンを共有する行の前記読み出しトランジスタに対して、前記第１の負電圧供給部より、それ以外の非選択行の前記読み出しトランジスタに対して、前記第２の負電圧供給部より、それぞれ切り替えて前記負電圧が供給される
請求項１に記載の撮像素子。
【請求項７】
前記非選択行のうちの、所定の割合の行に、所定の間隔で、前記第１の負電圧供給部より、前記負電圧が供給される
請求項６に記載の撮像素子。
【請求項８】
画素毎に入射光の強度に応じた電荷を発生する複数のフォトダイオードと、
前記フォトダイオードにより発生された電荷を読み出す読み出しトランジスタと、
前記読み出しトランジスタがオンにされない場合、前記読み出しトランジスタに負電圧を供給する第１の負電圧供給部と、
前記読み出しトランジスタがオンにされない場合、前記読み出しトランジスタに負電圧を供給する第２の負電圧供給部とを含む撮像素子の駆動方法であり、
前記第１の負電圧供給部と、前記第２の負電圧供給部とが、切り替えられて前記負電圧が供給される
撮像素子の駆動方法。
【請求項９】
画素毎に入射光の強度に応じた電荷を発生する複数のフォトダイオードと、
前記フォトダイオードにより発生された電荷を読み出す読み出しトランジスタと、
前記読み出しトランジスタがオンにされない場合、前記読み出しトランジスタに負電圧を供給する第１の負電圧供給部と、
前記読み出しトランジスタがオンにされない場合、前記読み出しトランジスタに負電圧を供給する第２の負電圧供給部とを含む撮像素子を制御するコンピュータに、
前記第１の負電圧供給部と、前記第２の負電圧供給部とが、切り替えられて前記負電圧が供給される
処理を実行させるプログラム。
【請求項１０】
画素毎に入射光の強度に応じた電荷を発生する複数のフォトダイオードと、
前記フォトダイオードにより発生された電荷を読み出す読み出しトランジスタと、
前記読み出しトランジスタがオンにされない場合、前記読み出しトランジスタに負電圧を供給する第１の負電圧供給部と、
前記読み出しトランジスタがオンにされない場合、前記読み出しトランジスタに負電圧を供給する第２の負電圧供給部とを含み、
前記第１の負電圧供給部と、前記第２の負電圧供給部とが、切り替えられて前記負電圧が供給される
電子機器。
【発明の詳細な説明】
【技術分野】
【０００１】
本技術は、撮像素子および撮像素子の駆動方法、電子機器、並びにプログラムに関し、特に、画質を向上できるようにした撮像素子および撮像素子の駆動方法、電子機器、並びにプログラムに関する。
【背景技術】
【０００２】
従来のCMOS（Complementary Metal Oxide Semiconductor）イメージセンサは、画素信号の読み出しトランジスタをOFFしている場合、画素特性向上のために、読み出しトランジスタのゲートに、読み出し制御信号線TR（0乃至m：mは、読み出し行を識別する識別子である）を通してチャージポンプで生成した負電圧VRLを入力している。すなわち、画素信号読み出しトランジスタは、読み出し行以外全てOFFになっているため、読み出し制御信号線のほぼすべてに負電圧VRLが入力されている。【０００３】
一方、負電圧VRLが入力されている制御信号線は物理的に、画素部上に配線される構造となるため、垂直転送線VSL（0乃至n：nは垂直転送線VSLを識別する識別子）やフローティングディフュージョンFD（0乃至i：iはフローティングディフュージョンFDを識別する識別子）とカップリング成分を持つことになるので、その垂直転送線VSL（0乃至n）、およびフローティングディフュージョンFD（0乃至i）を介して、負電圧VRLの変動成分が垂直転送線VSL（0乃至n）の画素データを劣化させる。【０００４】
例えば、相関２重サンプリング信号処理を行う場合でも、負電圧変動によるノイズ成分や、サンプリング間でのオフセット成分を取り除くことは難しく、AD（Analog/Digital）変換した画素信号にノイズとして残り、撮像した画像の画質を劣化させる（特許文献１，２参照）。【０００５】
また、負電圧VRLの変動成分としては、チャージポンプ自身が発生するノイズと、カップリングや画素駆動による変動の２つが挙げられる。【０００６】
このうち、チャージポンプ自身が発生するノイズに関しては解決する技術がいくつか提案されている（特許文献３，４参照）。【０００７】
一方、カップリングや画素駆動による変動については、負電圧容量を大きくして対応していることが知られている。
【先行技術文献】
【特許文献】
【０００８】
【特許文献１】特開２０００−１５２０８２号公報
【特許文献２】特開２００５−３２３３３１号公報
【特許文献３】特開２００３−３４８８２２号公報
【特許文献４】特開２００８−０４２３０５号公報
【発明の概要】
【発明が解決しようとする課題】
【０００９】
しかしながら、カップリングや画素駆動による変動については、負電圧容量を大きくしても、完全に変動を抑制できていない。【００１０】
また、負電圧容量を大きくしようとすると、カップリング量、および転送負荷は画素数に比例して大きくなるためイメージセンサの大型化に不利なものとなる。【００１１】
本技術は、このような状況に鑑みてなされたものであり、特に、負電圧容量を大きくすることなく、負電圧の変動を抑制できるようにし、画質を向上させるものである。
【課題を解決するための手段】
【００１２】
本技術の一側面の撮像素子は、画素毎に入射光の強度に応じた電荷を発生する複数のフォトダイオードと、前記フォトダイオードにより発生された電荷を読み出す読み出しトランジスタと、前記読み出しトランジスタがオンにされない場合、前記読み出しトランジスタに負電圧を供給する第１の負電圧供給部と、前記読み出しトランジスタがオンにされない場合、前記読み出しトランジスタに負電圧を供給する第２の負電圧供給部とを含み、前記第１の負電圧供給部と、前記第２の負電圧供給部とが、切り替えられて前記負電圧が供給される。
【００１３】
前記フォトダイオードの露光を開始するとき、およびリセットするとき、前記第１の負電圧供給部により、それ以外のとき、前記第２の負電圧供給部より、それぞれ切り替えられて前記負電圧が供給されるようにすることができる。【００１４】
パルス信号を発生するパルス発生部をさらに含ませるようにすることができ、前記パルス発生部により発生されるパルスにより、前記フォトダイオードの露光を開始するとき、およびリセットするとき、前記第１の負電圧供給部により、それ以外のとき、前記第２の負電圧供給部より、それぞれ切り替えられて前記負電圧が供給されるようにすることができる。【００１５】
前記第１の負電圧供給部、および第２の負電圧供給部は、それぞれ第１の負電圧容量、および第２の負電圧容量であるようにすることができる。【００１６】
前記第１の負電圧容量、および第２の負電圧容量は、チャージポンプ回路により充電されるようにすることができる。【００１７】
オンにされていない前記読み出しトランジスタのうち、読み出し行のトランジスタとフローティングディフュージョンを共有する行の前記読み出しトランジスタに対して、前記第１の負電圧供給部より、それ以外の非選択行の前記読み出しトランジスタに対して、前記第２の負電圧供給部より、それぞれ切り替えて前記負電圧が供給されるようにすることができる。【００１８】
前記非選択行のうちの、所定の割合の行に、所定の間隔で、前記第１の負電圧供給部より、前記負電圧が供給されるようにすることができる。【００１９】
本技術の一側面の撮像素子の駆動方法は、画素毎に入射光の強度に応じた電荷を発生する複数のフォトダイオードと、前記フォトダイオードにより発生された電荷を読み出す読み出しトランジスタと、前記読み出しトランジスタがオンにされない場合、前記読み出しトランジスタに負電圧を供給する第１の負電圧供給部と前記読み出しトランジスタがオンにされない場合、前記読み出しトランジスタに負電圧を供給する第２の負電圧供給部とを含む撮像素子の駆動方法であり、前記第１の負電圧供給部と、前記第２の負電圧供給部とが、切り替えられて前記負電圧が供給される撮像素子。
【００２０】
本技術の一側面のプログラムは、画素毎に入射光の強度に応じた電荷を発生する複数のフォトダイオードと、前記フォトダイオードにより発生された電荷を読み出す読み出しトランジスタと、前記読み出しトランジスタがオンにされない場合、前記読み出しトランジスタに負電圧を供給する第１の負電圧供給部と前記読み出しトランジスタがオンにされない場合、前記読み出しトランジスタに負電圧を供給する第２の負電圧供給部とを含む撮像素子を制御するコンピュータに、前記第１の負電圧供給部と、前記第２の負電圧供給部とが、切り替えられて前記負電圧が供給される処理を実行させる。
【００２１】
本技術の一側面の電子機器は、画素毎に入射光の強度に応じた電荷を発生する複数のフォトダイオードと、前記フォトダイオードにより発生された電荷を読み出す読み出しトランジスタと、前記読み出しトランジスタがオンにされない場合、前記読み出しトランジスタに負電圧を供給する第１の負電圧供給部と前記読み出しトランジスタがオンにされない場合、前記読み出しトランジスタに負電圧を供給する第２の負電圧供給部とを含み、前記第１の負電圧供給部と、前記第２の負電圧供給部とが、切り替えられて前記負電圧が供給される。
【００２２】
本技術の一側面においては、複数のフォトダイオードにより、画素毎に入射光の強度に応じた電荷が発生され、読み出しトランジスタにより、前記フォトダイオードにより発生された電荷が読み出され、第１の負電圧供給部により、前記読み出しトランジスタがオンにされない場合、前記読み出しトランジスタに負電圧が供給され、第２の負電圧供給部により、前記読み出しトランジスタがオンにされない場合、前記読み出しトランジスタに負電圧が供給され、前記第１の負電圧供給部と、前記第２の負電圧供給部とが、切り替えられて前記負電圧が供給される。
【００２３】
本技術の一側面の撮像素子は、独立した装置であっても良いし、撮像処理を行うブロックであっても良い。
【発明の効果】
【００２４】
本技術の一側面によれば、負電圧容量を大きくすることなく負電圧の変動を抑制することで、画質を向上することが可能となる。
【図面の簡単な説明】
【００２５】
【図１】本技術を適用した撮像素子の駆動回路の一実施の形態の構成例を示す図である。
【図２】一般的な駆動回路の構成を説明する図である。
【図３】駆動回路の動作を説明する図である。
【図４】ストリーキングを説明する図である。
【図５】図１の駆動回路の動作を説明するタイミングチャートである。
【図６】一般的な駆動回路によるシャッタ時の動作を説明するタイミングチャートである。
【図７】図１の駆動回路によるシャッタ時の動作を説明するタイミングチャートである。
【図８】一般的な駆動回路によるグローバルシャッタ時の動作を説明するタイミングチャートである。
【図９】図１の駆動回路によるグローバルシャッタ時の動作を説明するタイミングチャートである。
【図１０】本技術を適用した撮像素子の駆動回路の変形例を示す図である。
【図１１】図１０の駆動回路による動作を説明するタイミングチャートである。
【図１２】白浮きおよび黒沈みを説明する図である。
【図１３】図１０の駆動回路による調整処理を説明するフローチャートである。
【図１４】汎用のパーソナルコンピュータの構成例を説明する図である。
【発明を実施するための最良の形態】
【００２６】
＜撮像素子の駆動回路の構成例＞
図１は、本技術を適用した撮像素子の駆動回路の一実施の形態の構成例を示している。図１の駆動回路は、撮像装置や携帯電話機等の電子機器に搭載される撮像素子を駆動する駆動回路であり、オフにされている読み出しトランジスタに対して負電圧VRLを供給する回路である。【００２７】
より詳細には、図１の駆動回路は、パルス発生制御部３１、インバータ３２、チャージポンプ回路３３−１，３３−２、負電圧容量３４−１，３４−２、Vスキャナ３５、選択トランジスタ３６、増幅トランジスタ３７、リセットトランジスタ３８、読み出しトランジスタ３９、およびフォトダイオード４０より構成される。【００２８】
より詳細には、チャージポンプ回路３３−１，３３−２は、いずれもオフに設定されている読み出しトランジスタ３９に供給する負電圧VRLを発生する回路であり、発生された負電圧VRLで、それぞれ負電圧容量３４−１，３４−２を充電させる。尚、負電圧容量３４−１，３４−２に充電される負電圧を負電圧VRL1，VRL2と称するものとする。【００２９】
Vスキャナ３５は、負電圧容量３４−１，３４−２の充電電圧である負電圧VRL1，VRL2を切り替えて、読み出し状態ではない行の読み出しトランジスタ３９に供給する。より詳細には、Vスキャナ３５は、トランジスタ５１−１，５１−２を備えており、パルス発生制御部３１により発生されるパルス信号を、トランジスタ５１−１のゲートの入力として受け付けると共に、インバータ３２を介して、トランジスタ５１−２のゲートに受け付ける。このような構成により、例えば、トランジスタ５１−１，５１−２がHiアクティブである場合、パルス発生制御部３１より供給されるパルスがHiのとき、トランジスタ５１−１がオンに制御されると共に、トランジスタ５１−２がオフに制御される。逆に、パルス発生制御部３１より供給されるパルスがLowのとき、トランジスタ５１−１がオフに制御されると共に、トランジスタ５１−２がオンに制御される。結果として、Vスキャナ３５は、パルス発生制御部３１が発生するパルスのHi、またはLowにより負電圧VRL1またはVRL2を切り替えて出力する。【００３０】
尚、図１で示される駆動回路は、オフに設定されている読み出しトランジスタ３９のゲートに供給する負電圧VRLを供給するものであるが、当然のことながら、図示しないが、読み出しトランジスタ３９をオンにするときに供給する電源電圧VDDを供給する構成も存在し、読み出しトランジスタ３９をオンまたはオフに制御されるタイミングで切り替えて使用される。【００３１】
また、チャージポンプ回路３３−１，３３−２は、十分な容量があれば、１にまとめて、負電圧容量３４−１，３４−２の両方に供給するようにしてもよい。【００３２】
読み出しトランジスタ３９がオンにされると、フォトダイオード４０で発生された電荷が、フローティングディフュージョンＦＤに転送される。フローティングディフュージョンＦＤは、蓄積された電荷を増幅トランジスタ３７のゲートに出力する。増幅トランジスタ３７は、フローティングディフュージョンＦＤより転送された電荷量に応じた画素信号を選択トランジスタ３６に出力する。選択トランジスタ３６は、オンにされたとき、増幅トランジスタ３７より出力される画素信号を垂直転送線VSLを介して転送させる。【００３３】
＜一般的な駆動回路の構成＞
次に、図１の駆動回路の動作を説明するにあたって、一般的な駆動回路の構成と、その動作について説明する。【００３４】
図２は、一般的な駆動回路の構成を示した図である。尚、図１の構成と同一の機能を備えた構成については、同一の符号、および名称を付すものとし、その説明は適宜省略するものとする。【００３５】
すなわち、図１の本技術の駆動回路と一般的な駆動回路との差異となる構成は、チャージポンプ回路３３、負電圧容量３４がそれぞれ１個のみの構成とされており、これに伴って、トランジスタ５１−１，５１−２、およびインバータ３２が設けられていない点である。【００３６】
図２の駆動回路の動作について、例えば、図３で示されるように、４行分の画素信号を制御する場合の例について説明する。【００３７】
尚、図３においては、図中の上から０行目乃至３行目の制御信号線ＴＲ０乃至ＴＲ３について、増幅トランジスタ３７−１乃至３７−４、リセットトランジスタ３８−１、読み出しトランジスタ３９−１乃至３９−４、およびフォトダイオード４０−１乃至４０−４がそれぞれ構成されている。【００３８】
尚、以降において、増幅トランジスタ３７−１乃至３７−４、リセットトランジスタ３８−１、読み出しトランジスタ３９−１乃至３９−４、およびフォトダイオード４０−１乃至４０−４のそれぞれを個別に区別する必要がない場合、単に、選択トランジスタ３６、増幅トランジスタ３７、リセットトランジスタ３８、読み出しトランジスタ３９、およびフォトダイオード４０と称するものとし、その他の構成についても同様に称するものとする。また、フローティングディフュージョンCFDOは、４画素で共通使用される。【００３９】
各行には、増幅部７１−１乃至７１−４が設けられており、読み出しトランジスタ３９−１乃至３９−４をオン、またはオフにする電圧を制御信号線ＴＲ０乃至ＴＲ３を介して、それぞれのゲートに供給する。より具体的には、増幅部７１は、読み出しトランジスタ３９をオンにする場合、図示せぬ電源電圧VDDを読み出しトランジスタ３９のゲートに供給し、読み出しトランジスタ３９をオフにする場合、負電圧VRLを読み出しトランジスタ３９のゲートに供給する。【００４０】
さらに、図３における垂直転送線VSL0は、０カラムのフォトダイオード４０−１乃至４０−４のいずれかよりフローティングディフュージョンＦＤを介して転送された電荷信号を、増幅トランジスタ３７−１を介して転送する。また、垂直転送線VSLNは、Nカラムのフォトダイオード４０−Ｎ（図示せず）より図示せぬフローティングディフュージョンＦＤ（図示せず）より転送された電荷信号を、増幅トランジスタ３７−Ｎ（図示せず）を介して転送する。【００４１】
＜図２の一般的な駆動回路の動作について＞
次に、図２の一般的な駆動回路の動作を説明する。【００４２】
例えば、図３の垂直方向に１行目乃至３行目の制御信号線ＴＲ０乃至２の読み出しトランジスタ３９−１乃至３９−３がオフ（非選択行）にされ、４行目の制御信号線ＴＲ３の読み出しトランジスタ３９−４がオンにされた場合、増幅部７１−４が、読み出しトランジスタ３９−４のゲートに電源電圧VDDを供給する。これに対して、増幅部７１−１乃至７１−３は、Vスキャナ３５より供給されてくる負電圧VRLを、読み出しトランジスタ３９−１乃至３９−３に供給する。【００４３】
すなわち、図４で示されるように、時刻ｔ０乃至ｔ１において、リセット動作となり、垂直転送線VSL0の垂直転送線電圧VSL0，VSLNは、いずれも０の状態となる。このとき、リセット状態におけるオフセット量がカウンタDACによりカウントされて読み出される。【００４４】
そして、時刻ｔ１乃至ｔ２において、露光がなされると、図４の左下部で示されるような画像Ｐのように中央の領域Ｚ１のみが白色となるような画像が撮像される場合、この白色領域にＮカラム目が存在するとき、Ｎカラム目の垂直転送線VSLNの垂直転送線電圧VSLNは、Ｎカラム目の読み出しトランジスタ３９−Ｎへの増幅部７１−Ｎの出力線とのカップリング容量CVSL_TRNの影響を受けて、変位ΔVSLNだけ降下する。【００４５】
すなわち、このとき、垂直転送線電圧VSLNが変位ΔVSLNだけ降下することにより、負電圧VRLも変位ΔVRLだけ降下する。【００４６】
ここで、変位ΔVRLと変位ΔVSLNとは以下のような式（１）を満たす関係となる。【００４７】
ΔVRL＝ΔVSLN×CVSL_TRN／（CVRL＋CVSL_TRN）
・・・（１）【００４８】
ここで、ΔVRLは、図４における負電圧VRLの変位であり、ΔVSLNは、図４における垂直転送線電圧VSLNの変位であり、CVSL_TRNは、垂直転送線VSLNとNカラム目の読み出しトランジスタ３９−Ｎへの増幅部７１−Ｎの制御信号線ＴＲ（Ｎ−１）とのカップリング容量であり、CVRLは、負電圧容量３４の容量である。【００４９】
さらに、図４の上部の波形で示されるように、負電圧VRLの変位ΔVRLに伴って、本来、黒色領域であるべき０列目の垂直転送線電圧VSL0が変位ΔVSL0だけ降下する。【００５０】
ここで、変位ΔVSL0は、変位ΔVRLと以下の式（２）を満たす関係となる。【００５１】
ΔVSL0＝ΔVFD0＝ΔVRL×（（CFD0_TR0＋CFD0_TR1＋CFD0_TR2）／（CFD0））
・・・（２）【００５２】
ここで、変位ΔVSL0は、図４の０列目の垂直転送線電圧VSL0の変位であり、ΔVFD0は、０行目のフローティングディシュージョンＦＤの充電電圧の変位であり、ΔVRLは、図４の負電圧VRLの変位であり、CFD0_TR0乃至CFD0_TR2は、それぞれ垂直転送線VSLNと１乃至３行目の読み出しトランジスタ３９−１乃至３９−３への増幅部７１−１乃至７１−３の出力線とのカップリング容量であり、CFD0は、フローティングディフュージョンＦＤの容量である。【００５３】
すなわち、図４の左下部で示されるように、画像Ｐで示されるような領域Ｚ０のみが白色（画素値＝最大値）となると、それ以外の領域は黒色（画素値＝最小値）となるべきところが、領域Ｚ０と水平方向に同一の高さとなる領域Ｚ１のみが、完全な黒色ではなく、白浮したように明るく発色して見えるような画像として認識されてしまう、いわゆる、ストリーキングと呼ばれる現象が生じてしまう。【００５４】
尚、図４の上部においては、横軸が時間軸であり、縦軸は、実線が負電圧VRLを、点線が、水平方向にＮ列目の画素列の転送電圧VSLNを、１点鎖線が水平方向の左端部の画素列の転送電圧VSL0をそれぞれ示している。【００５５】
そして、時刻ｔ２において露光が完了すると、時刻ｔ２乃至ｔ３において、画素信号の読み出しがなされて、露光された画素信号がカウンタDACにより読み出される。【００５６】
時刻ｔ３乃至ｔ４において、リセット動作がなされて、電荷が排出されて、次の準備期間となる。【００５７】
式（１）で示されるように、負電圧VRLの変位ΔVRLは、負電圧容量CVRLをある程度大きくすることで対策することができるが、変位ΔVRLを完全に抑制することができない。また、カップリング容量や転送負荷については、画素数に比例するため、イメージセンサの大型化には不利なものとなる。【００５８】
＜図１の駆動回路の動作について＞
次に、図１の駆動回路における動作について説明する。【００５９】
上述したように、一般的な駆動回路においては、ストリーキングが発生してしまうことがあるので、図１の駆動回路においては、以下のような動作によりストリーキングの発生を抑制している。尚、動作条件については、上述した場合と同様であるものとする。【００６０】
すなわち、図５で示されるように、時刻ｔ０乃至ｔ２１において、リセット処理がなされ、パルス発生制御部３１は、駆動パルスを発生しない。すなわち、この場合、トランジスタ５１−１がオンにされて、トランジスタ５１−２がオフとされる。これにより、チャージポンプ回路３３−１により充電された負電圧容量３４−１からの負電圧VRL1がVスキャナ３５より出力される。この場合、垂直転送線電圧VSL0，VSLNはいずれも０のままの状態となる。また、この間に、オフセットとなる画素値が、カウンタDACにより読み出される。【００６１】
露光が開始される時刻ｔ２２の直前のタイミングである時刻ｔ２１において、パルス発生制御部３１が、駆動パルスを発生する。これにより、トランジスタ５１−１がオフにされて、トランジスタ５１−２がオンとされる。これにより、チャージポンプ回路３３−２により充電された負電圧容量３４−２からの負電圧VRL2がVスキャナ３５より出力される。【００６２】
そして、時刻ｔ２２において、露光が開始される。このとき、垂直転送線電圧VSL0，VSLNの動作は、図４を参照して説明した状態と同様に変動し、また、負電圧VRL2についても図４を参照して説明した負電圧VRLと同様に変動する。【００６３】
時刻ｔ２３において、パルス発生制御部３１が、駆動パルスの発生を停止する。これにより、トランジスタ５１−１がオンにされて、トランジスタ５１−２がオフとされる。これにより、チャージポンプ回路３３−１により充電された負電圧容量３４−１からの負電圧VRL1がVスキャナ３５より出力される。【００６４】
この場合、負電圧VRL1は、垂直転送線電圧VSL0，VSLNの変動による影響を受けていない、本来の負電圧VRL1がそのまま出力されるので、垂直転送線電圧VSL0の変位ΔVSL0は０となり、本来の０となる。【００６５】
そして、時刻ｔ２３乃至ｔ２４において、本来の垂直転送線電圧VSL0の状態で、電荷がカウンタDACにより読み出される。【００６６】
時刻ｔ２４において、読み出しが完了すると、パルス発生制御部３１が、駆動パルスを発生する。これにより、トランジスタ５１−１がオフにされて、トランジスタ５１−２がオンとされる。これにより、チャージポンプ回路３３−２により充電された負電圧容量３４−２からの負電圧VRL2がVスキャナ３５より出力される。【００６７】
このように負電圧VRL2に切り替えられると、時刻ｔ２５乃至Ｓ２６において、リセットパルスが発生されて、リセット処理がなされる。【００６８】
そして、リセットパルスが停止され、所定の時間が経過した後の時刻ｔ２７において、再び時刻ｔ０以降の処理が繰り返される。【００６９】
以上の処理により、露光が開始されるタイミング、およびリセットが開始されるタイミングを挟んだ所定の期間、すなわち、垂直転送線電圧VSL0，VSLNが変動する期間に負電圧VRL2に切り替え、画素信号を読み出す期間においては負電圧VRL1に切り替えるようにした。【００７０】
この結果、画素信号を読み出す期間においては、垂直転送線電圧VSL0，VSLNにより変動の影響を受けない負電圧VRL1を供給することが可能となるので、カップリング容量の影響を抑制することが可能となる。【００７１】
すなわち、図５の下から３段目で示されるように、負電圧VRL1は、垂直転送線電圧VSL0，VSLNにより変動の影響を受けないため一定の状態が維持されている。これに対して、図５の下から２段目で示されるように、負電圧VRL2は、垂直転送線電圧VSL0，VSLNにより変動の影響を受けるので変動している。しかしながら、変動の影響を受けない状態で画素信号が読み出される期間にのみ、負電圧VRL1が供給されれば、全体として影響はないので、図５の最下段で示されるように、Vスキャナ出力が、負電圧VRL1，VRL2を切り替えて出力することにより、垂直転送線電圧VSL0は、読み出し期間においては０を維持することが可能となり、結果として、ストリーキングの発生を抑制することが可能となる。【００７２】
また、この際、これまでのように負電圧容量を大きくすることなく、同容量の負電圧容量を設けて切り替えるようにするだけでよいため、画素数が増えても対応することが可能となるため、イメージセンサを大型化しても不利になるといったことがなくなる。【００７３】
尚、図５においては、上からRST（リセット）パルス、垂直転送線電圧VSL0，VSLN、カウンタDAC、駆動パルス、負電位選択状態（負電圧VRL1,VRL2のいずれか）、負電圧VRL1,VRL2、およびVスキャナ出力が示されている。【００７４】
＜シャッタ負荷に対する影響を低減する動作＞
以上においては、ストリーキングを抑制する動作例について説明してきたが、有効領域のシャッタ負荷と、ダミー領域のシャッタ負荷との違いにより生じるシャッタ段差を抑制するように動作させるようにしてもよい。【００７５】
すなわち、画素領域には、画素信号として使用する画素領域からなる有効領域となる画素領域と、画素信号には利用されないダミー領域からなる画素領域とが存在する。【００７６】
この有効領域における画素と、ダミー領域における画素とでは、アクセス時にシャッタ負荷の違いが負電圧の消費電荷の差分となり、結果として、段差が生じ、これがいわゆるシャッタ段差となる。【００７７】
これにより、例えば、上述した一般的な駆動回路によりシャッタ動作をさせると、図６で示されるように、リセットパルスが立ち下がる時刻ｔ０において、点線で示される有効領域における画素の負電圧VRLは、実線で示されるダミー領域における画素の負電圧VRLよりも変化が大きい。【００７８】
このため、図６で示されるように、ダミー領域における画素の負電圧VRLの変動が収束する時刻ｔ４１以降においては、垂直転送線電圧VSLは、安定した電圧として出力することが可能となる。これに対して、有効領域における画素の負電圧VRLの変動は、時刻ｔ４２まで収束しないので、その間、垂直転送線電圧VSLは、負電圧VRLの変動に応じて電圧が降下する。【００７９】
そこで、図１の駆動回路は、図７で示されるように動作することでシャッタ段差を抑制する。【００８０】
すなわち、リセットパルスが立ち上がる前の時刻ｔ６１において、パルス発生制御部３１が、駆動パルスを発生する。これにより、トランジスタ５１−１がオフにされて、トランジスタ５１−２がオンとされる。結果として、チャージポンプ回路３３−２により充電された負電圧容量３４−２からの負電圧VRL2がVスキャナ３５より出力される。【００８１】
その後、リセットパルスが発生し、リセットパルスが立ち下がる時刻ｔ６２において、有効領域およびダミー領域の画素のそれぞれについてシャッタオンの状態とされる。これにより、有効領域の画素においては、図７の最下段および下から２段目の点線で示されるように負電圧VRL2（すなわち、Vスキャナ３５の出力）が上昇し、ダミー領域の画素においては、実線で示されるように負電圧VRL2（すなわち、Vスキャナ３５の出力）が上昇する。【００８２】
しかしながら、この間、負電圧VRL1には、図７の下から３段目で示されるように、影響が及ばないので一定の値を維持する。【００８３】
時刻ｔ６３において、パルス発生制御部３１が、駆動パルスの発生を停止する。これにより、トランジスタ５１−１がオンにされて、トランジスタ５１−２がオフとされる。結果として、チャージポンプ回路３３−１により充電された負電圧容量３４−１からの負電圧VRL1がVスキャナ３５より出力される。【００８４】
これにより、負電圧VRL1となるので、垂直転送線電圧VSLは、負電圧VRLの変動の影響を受けず一定の電圧を出力し続ける。【００８５】
結果として、垂直転送線電圧VSLに対する負電圧VRLの割合である、PSRR：Power Supply Rejection Ratio（電源電圧変動除去比=（電源電圧の変化）／（出力電圧の変化））が改善されることになるので、シャッタ段差の発生を抑制することが可能となる。【００８６】
＜グローバルシャッタにおける負電圧復帰時間への対策＞
以上においては、シャッタ段差に対策する例について説明してきたが、同様の技術を応用することにより、グローバルシャッタにおける負電圧VRLの復帰時間による読み出しに対する影響を対策することが可能となる。【００８７】
すなわち、グローバルシャッタの場合、全画素について同時に露光が開始されることになるため、図８で示されるように、同時にシャッタオンとする画素数が増える。これに伴って負電圧VRLの変動が大きくなるので、変動が収束するまでの時間も比例して長くなる。このため、読み出し開始パルスXVSが立下り、読み出し（図中のリード）が開始されるまでに、減衰して変動が収束し、読み出しが可能な画素数とする対策が取られている。【００８８】
図８においては、実線で示される負電圧VRLの変動に対しては、読み出しパルスXVSが立ち上がる時刻ｔ８１までの収束するため、時刻ｔ８２からの読み出しが可能である。しかしながら、点線で示される負電圧VRLの変動に対しては、読み出しが開始される時刻ｔ８２においても収束していないため対策できない。【００８９】
そこで、図９で示されるように、時刻ｔ１０１において、グローバルシャッタがオンとされるタイミングにおいて、パルス発生制御部３１が、駆動パルスを発生する。これにより、トランジスタ５１−１がオフにされて、トランジスタ５１−２がオンとされる。結果として、チャージポンプ回路３３−２により充電された負電圧容量３４−２からの負電圧VRL2がVスキャナ３５より出力される。【００９０】
これにより、負電圧VRL2は、グローバルシャッタ時の電荷消費期間において、変動が発生する。結果として、Vスキャナ３５の出力も変動する。【００９１】
しかしながら、この間においては、負電圧VRL1については、負電圧VRL2の変動の影響を受けないので、一定の値が維持される。【００９２】
時刻ｔ１０２において、読み出しパルスXVSが立ち下がると、パルス発生制御部３１が、駆動パルスの発生を停止する。これにより、トランジスタ５１−１がオンにされて、トランジスタ５１−２がオフとされる。結果として、チャージポンプ回路３３−１により充電された負電圧容量３４−１からの負電圧VRL1がVスキャナ３５より出力される。【００９３】
そして、時刻ｔ１０３において、画素信号が読み出される。【００９４】
結果として、グローバルシャッタにおける負電圧VRLへの影響を抑制し、画素数によらず、適切に対応することが可能となるので、イメージセンサの大型化に対しても影響をなくすことが可能となる。【００９５】
＜変形例＞
以上においては、チャージポンプ回路を２系統設けて、負電圧VRLが変動するタイミングにおいて、一方に切り替え、それ以外のタイミングで他方に切り替えることにより、オフセットおよびデータを読み出すタイミングにおいて、負電圧VRLが変動しないようにする例について説明してきた。しかしながら、読み出し行のフローティングディフュージョンを共有する行と、非選択行とで、予め負電圧を分けて、それぞれ独立した負電圧VRL1,VRL2を供給するようにしてもよい。【００９６】
図１０の撮像素子の駆動回路は、負電圧VRLを、同一の負電圧VRLTと負電圧VRLSとに分けて設定し、読み出し行（選択行）のフローティングディフュージョンを共有する行に対して負電圧VRLTを供給し、その他の非選択行に対して負電圧VRLSを供給する。さらに、図１０の撮像素子の駆動回路は、白浮きの程度に応じて、非選択行の一部に負電圧VRLTを供給する。これにより、ストリーキングを適切に抑制する。尚、図１０において、図１，図３を参照して説明した構成と同一の機能を備えた構成については、同一の符号および名称を付しており、その説明は適宜省略するものとする。【００９７】
すなわち、より詳細には、図１０の撮像素子の駆動回路は、チャージポンプ回路３３−１，３３−２、および負電圧容量３４−１，３４−２が設けられており、それぞれ負電圧VRLT、および負電圧VRLSを増幅部７１−１乃至７１−８に出力する。【００９８】
選択部１０１は、チャージポンプ回路３３−１，３３−２（負電圧容量３４−１，３４−２）からの負電圧VRLT，VRLSのいずれを、増幅部７１−１乃至７１−８に供給するかを選択する。【００９９】
すなわち、選択部１０１は、増幅部７１−４に対応する行が読み出し行である選択行である場合、この選択行とフローティングディフュージョンCFD0を共有する行の増幅部７１−１乃至７１−３に負電圧VRLTを供給する。また、選択部１０１は、選択行のフローティングディフュージョンCFD0を共有しない非選択行に対応する増幅部７１−５乃至７１−８に負電圧VRLSを供給する例について説明する。【０１００】
上述したように、負電位VRLの変動がフローティングディフュージョンCFD0の電圧に変動を与えることに起因して垂直転送線電圧VSL0に変動を及ぼす。これに対して、選択部１０１は、選択行のフローティングディフュージョンCFD0を共有する非選択行である共有行と、それ以外の非選択行に対して、それぞれ負電圧VRLTと負電圧VRLSとを分けて供給している。これにより、例えば、図１１で示されるように、時刻ｔ１５１において、露光が開始されると、垂直転送線電圧VSLNの電圧降下に伴って、負電圧VRLSが電圧降下しても、負電圧VRLTには影響がでないので、垂直転送線電圧VSL0にも影響がでない。これにより、時刻ｔ１５２乃至ｔ１５３における信号読み出しの期間においても、適切に信号が読み出される。【０１０１】
結果として、図１１における左下部の画像Ｐ２で示されるように、領域Ｚ０においてのみ白色（画素値＝最大値）であっても、それ以外の領域は黒色（画素値＝最小値）となり、領域Ｚ１が白浮きするようなストリーキングを抑制することが可能となる。【０１０２】
また、白浮きは、垂直転送線電圧VSL0の振幅により生じるものであることは上述した通りであるが、垂直転送線電圧VSL0の振幅によっては、黒沈みと呼ばれる、より黒い領域を作り出す現象を発生させることもある。【０１０３】
図１２は、垂直転送線電圧VSL0の振幅に応じて生じるストリーキングの変化を表したものである。白沈み（白浮き）は、負電圧容量である外部容量が大きくなるにつれて、小さくなることが示されている。図１２においては、外部容量が4.7μF、6.8μF、10.0μFの場合の変化が示されている。また、黒沈みは、GNDインピーダンスが大きくなるにつれて、大きくなることが示されている。図１２において、GNDインピーダンスが0.1Ω、0.2Ω、0.3Ωの場合の変化が示されている。【０１０４】
このようなことから、上述した手法により完全に負電圧の変化により影響を除去してしまうと、白浮き、または黒沈みといった現象が逆に発生する恐れがある。【０１０５】
そこで、切替信号発生部１０２は、意図的に負電圧の影響を調整することにより、上述した白浮き、または黒沈みといった現象の発生を抑制する。具体的には、切替信号発生部１０２は、白浮き、または黒沈みに対する評価値に応じて、非選択行のいずれかとして割り当てられた行に、所定の割合だけ、かつ、所定の行間隔でチャージポンプ回路３３−１からの負電圧VRLTを割り当てる。【０１０６】
このような動作により、負電圧の変動による影響の程度を調整し、見た目に白浮き、または黒沈みといった現象が発生するのを抑制することが可能となる。【０１０７】
＜図１０の撮像素子の駆動回路による調整処理＞
次に、図１０の撮像素子の駆動回路による調整処理について説明する。【０１０８】
ステップＳ３１において、選択部１０１は、選択行に基づいて、選択行のフローティングディフュージョンを共有する共有行の増幅部７１に対してチャージポンプ回路３３−１からの負電圧VRLTを供給し、それ以外の非選択行に対してチャージポンプ回路３３−２からの負電圧VRLSを供給する。したがって、図１０の場合、選択行は、増幅部７１−４に対応する行であるので、増幅部７１−１乃至７１−３に対してチャージポンプ回路３３−１からの負電圧VRLTが供給され、それ以外の非選択行に対応する増幅部７１−５乃至７１−８に対してチャージポンプ回路３３−２からの負電圧VRLSが供給される。【０１０９】
ステップＳ３２において、現状の撮像素子により撮像された画像における白浮き、または黒沈みの程度を判定する。この画像における白浮き、または黒沈みの程度については、調整可能な装置が存在するので、この評価値に基づいて、白浮き、または黒沈みの程度を判定するようにしてもよい。【０１１０】
ステップＳ３３において、切替信号発生部１０２は、白浮き、または黒沈みの程度に応じて、非選択行に対応する増幅部７１に対して、所定の割合で、かつ、所定の行間隔でチャージポンプ回路３３−２からの負電圧VRLSを供給させるように切り替える切替レートを設定する。以降においては、この設定された切替レートに基づいて、非選択行に対応する増幅部７１に対して、所定の割合で、かつ、所定の行間隔でチャージポンプ回路３３−２からの負電圧VRLSが供給される。【０１１１】
尚、必要に応じて、上述した処理を繰り返すようにしてもよい。【０１１２】
以上の処理により、負電圧容量を大きくすることなく負電圧の変動を抑制することが可能となり、白浮き、または黒沈みといったストリーキングの発生を抑制することが可能となる。【０１１３】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。【０１１４】
図１４は、汎用のパーソナルコンピュータの構成例を示している。このパーソナルコンピュータは、CPU(Central Processing Unit)１００１を内蔵している。CPU１００１にはバス１００４を介して、入出力インタ-フェイス１００５が接続されている。バス１００４には、ROM(Read Only Memory)１００２およびRAM(Random Access Memory)１００３が接続されている。【０１１５】
入出力インタ-フェイス１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。【０１１６】
CPU１００１は、ROM１００２に記憶されているプログラム、または磁気ディスク、光ディスク、光磁気ディスク、もしくは半導体メモリ等のリムーバブルメディア１０１１ら読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。【０１１７】
以上のように構成されるコンピュータでは、CPU１００１が、例えば、記憶部１００８に記憶されているプログラムを、入出力インタフェース１００５及びバス１００４を介して、RAM１００３にロードして実行することにより、上述した一連の処理が行われる。【０１１８】
コンピュータ（CPU１００１）が実行するプログラムは、例えば、パッケージメディア等としてのリムーバブルメディア１０１１に記録して提供することができる。また、プログラムは、ローカルエリアネットワーク、インターネット、デジタル衛星放送といった、有線または無線の伝送媒体を介して提供することができる。【０１１９】
コンピュータでは、プログラムは、リムーバブルメディア１０１１をドライブ１０１０に装着することにより、入出力インタフェース１００５を介して、記憶部１００８にインストールすることができる。また、プログラムは、有線または無線の伝送媒体を介して、通信部１００９で受信し、記憶部１００８にインストールすることができる。その他、プログラムは、ROM１００２や記憶部１００８に、あらかじめインストールしておくことができる。【０１２０】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。【０１２１】
また、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。【０１２２】
なお、本技術の実施の形態は、上述した実施の形態に限定されるものではなく、本技術の要旨を逸脱しない範囲において種々の変更が可能である。【０１２３】
例えば、本技術は、１つの機能をネットワークを介して複数の装置で分担、共同して処理するクラウドコンピューティングの構成をとることができる。【０１２４】
また、上述のフローチャートで説明した各ステップは、１つの装置で実行する他、複数の装置で分担して実行することができる。【０１２５】
さらに、１つのステップに複数の処理が含まれる場合には、その１つのステップに含まれる複数の処理は、１つの装置で実行する他、複数の装置で分担して実行することができる。【０１２６】
尚、本技術は、以下のような構成も取ることができる。
（１）  画素毎に入射光の強度に応じた電荷を発生する複数のフォトダイオードと、
前記フォトダイオードにより発生された電荷を読み出す読み出しトランジスタと、
前記読み出しトランジスタがオンにされない場合、前記読み出しトランジスタに負電圧を供給する第１の負電圧供給部と、
前記読み出しトランジスタがオンにされない場合、前記読み出しトランジスタに負電圧を供給する第２の負電圧供給部とを含み、
前記第１の負電圧発生部と、前記第２の負電圧発生部とが、切り替えられて前記負電圧が供給される
撮像素子。
（２）  前記フォトダイオードの露光を開始するとき、およびリセットするとき、前記第１の負電圧供給部により、それ以外のとき、前記第２の負電圧供給部より、それぞれ切り替えられて前記負電圧が供給される
（１）に記載の撮像素子。
（３）  パルス信号を発生するパルス発生部をさらに含み、
前記パルス発生部により発生されるパルスにより、前記フォトダイオードの露光を開始するとき、およびリセットするとき、前記第１の負電圧供給部により、それ以外のとき、前記第２の負電圧供給部より、それぞれ切り替えられて前記負電圧が供給される
（２）に記載の撮像素子。
（４）  前記第１の負電圧供給部、および第２の負電圧供給部は、それぞれ第１の負電圧容量、および第２の負電圧容量である
（１）乃至（３）のいずれかに記載の撮像素子。
（５）  前記第１の負電圧容量、および第２の負電圧容量は、チャージポンプ回路により充電される
（４）に記載の撮像素子。
（６）  オンにされていない前記読み出しトランジスタのうち、読み出し行のトランジスタとフローティングディフュージョンを共有する行の前記読み出しトランジスタに対して、前記第１の負電圧供給部より、それ以外の非選択行の前記読み出しトランジスタに対して、前記第２の負電圧供給部より、それぞれ切り替えて前記負電圧が供給される
（１）に記載の撮像素子。
（７）  前記非選択行のうちの、所定の割合の行に、所定の間隔で、前記第１の負電圧供給部より、前記負電圧が供給される
（６）に記載の撮像素子。
（８）  画素毎に入射光の強度に応じた電荷を発生する複数のフォトダイオードと、
前記フォトダイオードにより発生された電荷を読み出す読み出しトランジスタと、
前記読み出しトランジスタがオンにされない場合、前記読み出しトランジスタに負電圧を供給する第１の負電圧供給部と、
前記読み出しトランジスタがオンにされない場合、前記読み出しトランジスタに負電圧を供給する第２の負電圧供給部とを含む撮像素子の駆動方法であり、
前記第１の負電圧発生部と、前記第２の負電圧発生部とが、切り替えられて前記負電圧が供給される
撮像素子の駆動方法。
（９）  画素毎に入射光の強度に応じた電荷を発生する複数のフォトダイオードと、
前記フォトダイオードにより発生された電荷を読み出す読み出しトランジスタと、
前記読み出しトランジスタがオンにされない場合、前記読み出しトランジスタに負電圧を供給する第１の負電圧供給部と、
前記読み出しトランジスタがオンにされない場合、前記読み出しトランジスタに負電圧を供給する第２の負電圧供給部とを含む撮像素子を制御するコンピュータに、
前記第１の負電圧発生部と、前記第２の負電圧発生部とが、切り替えられて前記負電圧が供給される
処理を実行させるプログラム。
（１０）  画素毎に入射光の強度に応じた電荷を発生する複数のフォトダイオードと、
前記フォトダイオードにより発生された電荷を読み出す読み出しトランジスタと、
前記読み出しトランジスタがオンにされない場合、前記読み出しトランジスタに負電圧を供給する第１の負電圧供給部と、
前記読み出しトランジスタがオンにされない場合、前記読み出しトランジスタに負電圧を供給する第２の負電圧供給部とを含み、
前記第１の負電圧発生部と、前記第２の負電圧発生部とが、切り替えられて前記負電圧が供給される
電子機器。
【符号の説明】
【０１２７】
３１  パルス発生制御回路，  ３２  インバータ，  ３３，３３−１，３３−２  チャージポンプ回路，  ３４，３４−１，３４−２  負電圧容量，  ３５  Vスキャナ，  ３６  選択トランジスタ，  ３７  増幅トランジスタ，  ３８  リセットトランジスタ，  ３９  読み出しトランジスタ，  ４０  フォトダイオード，  １０１  選択部，  １０２  切替信号発生部
【図１】
0006609553.tif 000002
【図２】
0006609553.tif 000003
【図３】
0006609553.tif 000004
【図４】
0006609553.tif 000005
【図５】
0006609553.tif 000006
【図６】
0006609553.tif 000007
【図７】
0006609553.tif 000008
【図８】
0006609553.tif 000009
【図９】
0006609553.tif 000010
【図１０】
0006609553.tif 000011
【図１１】
0006609553.tif 000012
【図１２】
0006609553.tif 000013
【図１３】
0006609553.tif 000014
【図１４】
0006609553.tif 000015